(57)【要約】【課題】略鉛直方向の止水板に略水平方向の止水板を合理的に連続させることのできる止水構造を提供する。【解決手段】止水構造３は、可とう性を有する帯状の止水板１０１を用いて形成される。止水構造３は、隣り合う壁体１の間の壁体１の外側面に対応する位置で止水板１０１を略鉛直方向に配置して形成された鉛直部３１と、上記止水板１０１を折り曲げて形成され、壁体１の内側面に向かって窪んだ略凹状の巻回し部３３と、を有し、巻回し部３３の先端３３ａが壁体１の外側面に位置する。【選択図】図１
2020183646.tif 000002
【特許請求の範囲】
【請求項１】
可とう性を有する帯状の止水板を用いた止水構造であって、
隣り合う壁体の間の前記壁体の外側面に対応する位置で止水板を略鉛直方向に配置して形成された鉛直部と、
前記止水板を折り曲げて形成され、前記壁体の内側面に向かって窪んだ略凹状の巻回し部と、
を有し、
前記巻回し部の先端が前記壁体の外側面に対応する位置にあることを特徴とする止水構造。
【請求項２】
前記壁体と前記壁体の外側の版状部材との間で止水板を略水平方向に配置して形成された第１の水平部を有し、
当該止水板と前記先端とが接合されたことを特徴とする請求項１記載の止水構造。
【請求項３】
前記壁体の外側の隣り合う版状部材の間で止水板を略水平方向に配置して形成された第２の水平部を有し、
当該止水板と前記先端とが接合されたことを特徴とする請求項１または請求項２記載の止水構造。
【発明の詳細な説明】
【技術分野】
【０００１】
本発明は、止水構造に関する。
【背景技術】
【０００２】
地下函体を各区間に並べて構築されるトンネル等の地下構造物では、函体の接続部に止水板が設けられる。
【０００３】
図６（ａ）は止水板１０１の例であり、帯状の止水板１０１の幅方向（図の左右方向に対応する）の中央部に空洞部１０２が設けられ、その両側にはリブ１０３が配置される。止水板１０１は主にゴムにより形成され、幅方向および長手方向の可とう性を有する（例えば、特許文献１、２参照）。
【０００４】
図６（ｂ）に示すように、地下函体の壁体１同士の接続部では、壁体１の外側面に対応する位置に略鉛直方向の止水板１０１（１０１−１）を配置し外防水を行うことで、施工性や接続部の耐久性の向上が見込まれる。
【先行技術文献】
【特許文献】
【０００５】
【特許文献１】特開2018−84111号公報
【特許文献２】特許第4537225号公報
【発明の概要】
【発明が解決しようとする課題】
【０００６】
ところで、トンネル等の外側に空間を形成するために図６（ｂ）に示すように壁体１の外側でも底版７を各区間に並べる場合があり、壁体１間だけでなく、壁体１と底版７の間にも略水平方向の止水板１０１（１０１−２）を設け、さらに底版７間にも略水平方向の止水板１０１（１０１−３）を設けるような構成となる場合がある。
【０００７】
止水のためにはこれらの止水板１０１（１０１−１〜１０１−３）を連続させる必要があるが、図６（ｂ）の矢印に示すようにこれらの止水板１０１を延長して壁体１の外側面の交点ａでこれらの止水板１０１を連続させようとすると、図６（ｃ）に示すように略鉛直方向の止水板１０１と略水平方向の止水板１０１を直接接合する必要が生じる。
【０００８】
一般的に止水板１０１同士の接合は加硫接合により行われ、同一面内の止水板１０１同士であれば加硫接合は比較的容易に行うことができる。しかしながら、略水平方向の止水板１０１と略鉛直方向の止水板１０１同士を加硫接合するのは難しく、また接合部における可とう性も損なわれる。
【０００９】
本発明は、前述した問題点に鑑みてなされたものであり、略鉛直方向の止水板に略水平方向の止水板を合理的に連続させることのできる止水構造を提供することである。
【課題を解決するための手段】
【００１０】
前述した目的を達成するための本発明は、可とう性を有する帯状の止水板を用いた止水構造であって、隣り合う壁体の間の前記壁体の外側面に対応する位置で止水板を略鉛直方向に配置して形成された鉛直部と、前記止水板を折り曲げて形成され、前記壁体の内側面に向かって窪んだ略凹状の巻回し部と、を有し、前記巻回し部の先端が前記壁体の外側面に対応する位置にあることを特徴とする止水構造である。
【００１１】
本発明によれば、壁体間の外防水を行うための略鉛直方向の止水板を一旦巻き回し、その先端を略水平方向として壁体の外側面に位置させることができる。従って、略水平方向の止水板とこの先端とを接合すれば壁体の外側面で各止水板を合理的に連続させることができ、前記したように略鉛直方向の止水板と略水平方向の止水板を直接接合する必要がない。
【００１２】
前記壁体と前記壁体の外側の版状部材との間で止水板を略水平方向に配置して形成された第１の水平部を有し、当該止水板と前記先端とが接合されることが望ましい。
これにより、壁体と版状部材との接続部を、前記の止水板と連続して止水することができる。
【００１３】
前記壁体の外側の隣り合う版状部材の間で止水板を略水平方向に配置して形成された第２の水平部を有し、当該止水板と前記先端とが接合されることが望ましい。
これにより、隣り合う版状部材の接続部を、前記の止水板と連続して止水することができる。
【発明の効果】
【００１４】
本発明によれば、略鉛直方向の止水板に略水平方向の止水板を合理的に連続させることのできる止水構造を提供することができる。
【図面の簡単な説明】
【００１５】
【図１】止水構造３を示す図。
【図２】止水構造３を示す図。
【図３】止水構造３の構築方法について説明する図。
【図４】止水構造３の構築方法について説明する図。
【図５】止水構造３の別の例。
【図６】止水板１０１を示す図。
【発明を実施するための形態】
【００１６】
以下、図面に基づいて本発明の実施形態を詳細に説明する。
【００１７】
（１．止水構造３）
図１（ａ）は本発明の実施形態に係る止水構造３を示す斜視図であり、図１（ｂ）、（ｃ）はそれぞれ図１（ａ）の線Ａ−Ａ、線Ｂ−Ｂに沿った鉛直方向の断面図である。また図２は壁体１、底版７、止水構造３を分解して示す図である。
【００１８】
本実施形態では、トンネル等の地下構造物を構成する地下函体の壁体１の外側の地盤上に底版７（版状部材）が設けられ、且つ複数の地下函体および底版７がトンネル等の連続方向（図１（ａ）の矢印Ｃに示す方向に対応する）に並べて設けられる。
【００１９】
本実施形態の止水構造３は、隣り合う壁体１の間、壁体１と底版７の間、および隣り合う底版７の間に配置され、且つ全体として連続する。なお、隣り合う壁体１の間、壁体１と底版７の間、および隣り合う底版７の間には目地材も設けられるが、図１、２ではその図示を省略している。以降の図でも同様である。
【００２０】
止水構造３は、可とう性を有する帯状の止水板１０１（図６（ａ）参照）により形成され、鉛直部３１、巻回し部３３、水平部３２、３５を有する。
【００２１】
鉛直部３１は、隣り合う壁体１の間の壁体１の外側面に対応する位置で止水板１０１を略鉛直方向に配置して形成される。
【００２２】
巻回し部３３は、上記の止水板１０１の上端部を折り曲げて形成され、壁体１の内側面に向かって窪んだ略凹状の部分である。巻回し部３３の先端３３ａは壁体１の外側面に対応する位置で略水平方向に配置される。
【００２３】
水平部３２（第１の水平部）は、壁体１と底版７の間で止水板１０１を略水平方向に配置して形成される。水平部３２の止水板１０１と前記の先端３３ａとは加硫接合等により接合される。
【００２４】
水平部３５（第２の水平部）は、隣り合う底版７の間で止水板１０１を略水平方向に配置して形成される。水平部３５の止水板１０１も前記の先端３３ａと加硫接合等により接合される。
【００２５】
なお、鉛直部３１および巻回し部３３の止水板１０１の両側のリブ１０３（図６（ａ）参照）は隣り合う壁体１のそれぞれに埋設される。同様に、水平部３２の止水板１０１の両側のリブ１０３は壁体１と底版７のそれぞれに埋設され、水平部３５の止水板１０１の両側のリブ１０３は隣り合う底版７のそれぞれに埋設される。
【００２６】
（２．止水構造３の構築方法）
次に、図３、４を参照して止水構造３の構築方法について説明する。
【００２７】
本実施形態では、まず図３（ａ）に示すように鉛直部３１と巻回し部３３の止水板１０１を配置する。止水板１０１は、壁体１の構築時の型枠等（不図示）に取り付けて配置される。
【００２８】
次に、図３（ｂ）に示すように巻回し部３３の先端３３ａと水平部３２の止水板１０１とを接合する。当該止水板１０１も壁体１の構築時の型枠等に取り付けて配置する。
【００２９】
そして、型枠内にコンクリートを打設して図３（ｃ）に示すように壁体１を構築し、隣り合う壁体１間に目地材（不図示）を設ける。
【００３０】
その後、図４（ａ）に示すように巻回し部３３の先端３３ａと水平部３５の止水板１０１とを接合する。当該止水板１０１は底版７の構築時の型枠等（不図示）等に取り付けて配置する。
【００３１】
そして、型枠内にコンクリートを打設して図４（ｂ）に示すように底版７を構築し、壁体１と底版７の間、および隣り合う底版７間に目地材（不図示）を設けることで、図１に示す止水構造３が構築される。
【００３２】
以上説明した本実施形態では、壁体１間の外防水を行うための鉛直部３１の止水板１０１を一旦巻き回し、巻回し部３３の先端３３ａを略水平方向として壁体１の外側面に位置させることができる。従って、略水平方向の止水板１０１とこの先端３３ａとを接合すれば壁体１の外側面で各止水板１０１を合理的に連続させることができ、前記したように略鉛直方向の止水板１０１と略水平方向の止水板１０１を直接接合する必要がない。
【００３３】
本実施形態では、壁体１と底版７の間に配置された水平部３２の止水板１０１と上記の先端３３ａとを接合することで、壁体１と底版７との接続部を鉛直部３１の止水板１０１と連続して止水することができる。
【００３４】
同様に、隣り合う底版７の間に配置された水平部３５の止水板１０１と上記の先端３３ａとを接合することで、隣り合う底版７の接続部を鉛直部３１の止水板１０１と連続して止水することができる。
【００３５】
しかしながら、本発明は上記の実施形態に限ることはない。例えば止水板１０１の形状には様々なものがあり、前記したものに限定されることはない。
【００３６】
また本実施形態の壁体１はトンネル等の地下構造物を構成する地下函体の壁体であるが、壁体１はこれに限らない。また止水構造３は壁体１や底版７をコンクリート製のプレキャストブロックにより構築する場合でも適用可能である。
【００３７】
さらに、本実施形態では壁体１の外側の地盤上に底版７が配置されるが、壁体１の外側に頂版（版状部材）が配置され、その上方に地盤が設けられ下方が地下空間となるようなケースでも適用可能である。この場合、止水構造３の鉛直部３１は頂版よりも上方に位置し、鉛直部３１や巻回し部３３等の配置は図１（ｂ）を上下反転したものとなる。
【００３８】
また本実施形態では、水平部３５が底版７の厚さ方向の中央付近に配置されるが、水平部３５の位置はこれに限らない。例えば図５（ａ）に示すように水平部３５の止水板１０１を折り曲げて高さを変えて配置し、図５（ｂ）に示すように底版７の底部に沿って水平部３５の止水板１０１が配置されるようにすることもできる。このように、水平部３５は止水位置や底版７の構造その他の要因により高さを変えて配置することができ、各種の設計変更に対応できる。水平部３２についても同様である。
【００３９】
以上、添付図面を参照しながら、本発明に係る好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００４０】
１：壁体
３：止水構造
７：底版
３１：鉛直部
３２、３５：水平部
３３：巻回し部
３３ａ：先端
１０１：止水板
【図１】
2020183646.tif 000003
【図２】
2020183646.tif 000004
【図３】
2020183646.tif 000005
【図４】
2020183646.tif 000006
【図５】
2020183646.tif 000007
【図６】
2020183646.tif 000008